(57)【要約】【課題】容易に封緘でき、封緘状態が確実に維持される箱を提供する。【解決手段】周壁を形成する一対の端壁１に内フラップ４が連設されると共に、一方の側壁２に外フラップ５が、他方の側壁２に押止フラップ６がそれぞれ連設され、内フラップ４と押止フラップ６とが連結片７を挟んで繋がり、内フラップ４と連結片７の境界が端壁１と側壁２のなす角から延びる斜谷折線７ａとされ、外フラップ５の先端に山折線８ａを介して差込片８が連設されたものとし、内フラップ４及び押止フラップ６を内側へ折り曲げ、これに伴い、連結片７を斜谷折線７ａを軸に内フラップ４と押止フラップ６の間に折り込んで、押止フラップ６と連結片７とで袋状の差込口１０を形成し、外フラップ５を閉止方向へ折り曲げつつ、差込片８を山折線８ａを軸に外フラップ５から折り曲げ、差込口１０に差し込んだ後、折り曲げを復元することにより封緘する。【選択図】図３
0003198545.tif 000002
【実用新案登録請求の範囲】
【請求項１】
周壁が各一対の端壁(1)及び側壁(2)を備え、一対の端壁(1)に内フラップ(4)が連設されると共に、一方の側壁(2)に外フラップ(5)が、他方の側壁(2)に押止フラップ(6)がそれぞれ連設され、内フラップ(4)と押止フラップ(6)とが連結片(7)を挟んで繋がり、内フラップ(4)と連結片(7)の境界が端壁(1)と側壁(2)のなす角から延びる斜谷折線(7a)とされ、外フラップ(5)の先端に山折線(8a)を介して差込片(8)が連設されたものとし、
前記内フラップ(4)及び押止フラップ(6)を内側へ折り曲げ、これに伴い、連結片(7)を斜谷折線(7a)を軸に内フラップ(4)と押止フラップ(6)の間に折り込み、押止フラップ(6)と連結片(7)とで袋状の差込口(10)を形成し、外フラップ(5)を閉止方向へ折り曲げつつ、差込片(8)を山折線(8a)を軸に外フラップ(5)から折り曲げ、差込口(10)に差し込んだ後、折り曲げを復元することにより封緘する差込封緘箱。
【請求項２】
前記連結片(7)は、押止フラップ(6)よりも周壁側からの延出長さが大きいものとし、封緘する際には、連結片(7)に沿って差込片(8)を差込口(10)に差し込むことを特徴とする請求項１に記載の差込封緘箱。
【考案の詳細な説明】
【技術分野】
【０００１】
この考案は、差し込みにより封緘状態が維持される箱に関するものである。
【背景技術】
【０００２】
下記特許文献１には、図１３に示すようなワンタッチ開閉箱が記載されている。この箱は、周壁を形成する各一対の端壁５１及び側壁５２の上端に内フラップ５３及び外フラップ５４がそれぞれ連設され、内フラップ５３と外フラップ５４とが連結片５５を挟んで繋がり、内フラップ５３と連結片５５の境界が端壁５１と側壁５２のなす角から延びる斜谷折線５６とされ、端壁５１と内フラップ５３の境界の罫線５７が下方へ膨出するように湾曲した構成とされている。
【０００３】
このワンタッチ開閉箱を封緘する際には、内フラップ５３及び外フラップ５４を内側へ折り曲げ、これに伴い、斜谷折線５６を軸に連結片５５を内フラップ５３と外フラップ５４の間に折り込んで、外フラップ５４の先端部同士を重ね合わせる。また、このワンタッチ開閉箱を開封する際には、上に重なった外フラップ５４の先端部を引き上げるか、端壁５１の幅方向中央部を押すと、外フラップ５４及び内フラップ５３が連動して開く。
【先行技術文献】
【特許文献】
【０００４】
【特許文献１】特開平８−８０９３６号公報
【考案の概要】
【考案が解決しようとする課題】
【０００５】
しかしながら、上記のようなワンタッチ開閉箱では、封緘に際し、内フラップ５３と共に、一対の外フラップ５４が同時に閉じることになるので、外フラップ５４の先端部同士が衝突することがあるほか、外フラップ５４が反発により完全に閉じず、浮き上がった状態になるという問題がある。
【０００６】
そこで、この考案は、容易に封緘でき、封緘状態が確実に維持される差込封緘箱を提供しようとするものである。
【課題を解決するための手段】
【０００７】
上記課題を解決するため、この考案に係る差込封緘箱は、周壁が各一対の端壁及び側壁を備え、一対の端壁に内フラップが連設されると共に、一方の側壁に外フラップが、他方の側壁に押止フラップがそれぞれ連設され、内フラップと押止フラップとが連結片を挟んで繋がり、内フラップと連結片の境界が端壁と側壁のなす角から延びる斜谷折線とされ、外フラップの先端に山折線を介して差込片が連設されたものとし、前記内フラップ及び押止フラップを内側へ折り曲げ、これに伴い、連結片を斜谷折線を軸に内フラップと押止フラップの間に折り込み、押止フラップと連結片とで袋状の差込口を形成し、外フラップを閉止方向へ折り曲げつつ、差込片を山折線を軸に外フラップから折り曲げ、差込口に差し込んだ後、折り曲げを復元することにより封緘するものとしたのである。
【０００８】
また、前記連結片は、押止フラップよりも周壁側からの延出長さが大きいものとし、封緘する際には、連結片に沿って差込片を差込口に差し込むようにしたのである。
【考案の効果】
【０００９】
この考案に係る差込封緘箱では、内フラップと押止フラップとが連結片を介して繋がっているので、同時に折れ曲がり、これに伴い形成された差込口に、外フラップの先端から折り曲げた差込片を差し込むだけで、容易に封緘できる。
【００１０】
そして、差込片が押止フラップで押さえられ、外フラップの反発よる浮き上がりが抑制されるので、封緘状態が維持される。
【図面の簡単な説明】
【００１１】
【図１】この考案の第１実施形態に係る差込封緘箱のブランクを示す図
【図２】同上の組立過程を示す斜視図
【図３】同上の封緘過程を示す斜視図
【図４】同上の封緘状態を示す斜視図
【図５】この考案の第２実施形態に係る差込封緘箱のブランクを示す図
【図６】同上の封緘過程を示す斜視図
【図７】この考案の第３実施形態に係る差込封緘箱のブランクを示す図
【図８】同上の組立過程を示す斜視図
【図９】同上の封緘過程を示す斜視図
【図１０】同上の封緘状態を示す斜視図
【図１１】この考案の第４実施形態に係る差込封緘箱のブランクを示す図
【図１２】同上の封緘過程を示す斜視図
【図１３】特許文献１に記載されたワンタッチ開閉箱の（ａ）封緘状態及び（ｂ）封緘過程をそれぞれ示す斜視図
【考案を実施するための形態】
【００１２】
最初に、この考案の第１実施形態を図１〜図４に基づいて説明する。
【００１３】
この差込封緘箱は、図１に示すような段ボールのブランクから形成される。このブランクでは、端壁１及び側壁２が各一対交互に連設され、一方の側壁２の外側端に継代片３が連設されている。各一対の端壁１及び側壁２の下端には、底板１１，１２がそれぞれ連設され、底板１２には４５°の斜谷折線１２ａが入れられている。斜谷折線１２ａは、稜線となる罫線とは逆に、段ボールの表面側から押圧した逆罫線とされている。
【００１４】
端壁１の上端には内フラップ４が連設され、端部側に位置する一方の側壁２の上端には外フラップ５が連設され、中間に位置する他方の側壁２の上端には押止フラップ６が連設されている。外フラップ５の側壁２からの延出長さは、押止フラップ６の側壁２からの延出長さよりも大きくなっている。
【００１５】
内フラップ４と押止フラップ６とは、連結片７を挟んで繋がったものとされ、押止フラップ６と連結片７の境界は、端壁１と側壁２の境界の延長線上に延びている。内フラップ４と連結片７の境界には、端壁１と側壁２のなす角から延びる４５°の斜谷折線７ａが入れられ、斜谷折線７ａは、段ボールの裏面側から厚さ方向の途中まで切り込んだ半切線とされている。内フラップ４及び連結片７の端壁１からの延出長さは、押止フラップ６の側壁２からの延出長さよりも大きくなっている。
【００１６】
外フラップ５の先端には差込片８が連設され、外フラップ５と差込片８の境界には、山折線８ａが入れられている。山折線８ａは、稜線となる罫線と同様、段ボールの裏面側から押圧した通常の罫線とされている。
【００１７】
また、内フラップ４と外フラップ５とは、その根元から外フラップ５の先端付近へ延びる連結片９を挟んで繋がったものとされ、外フラップ５と連結片９の境界は、端壁１と側壁２の境界の延長線上に延びている。内フラップ４と連結片９の境界には、端壁１と側壁２のなす角から延びる４５°の斜谷折線９ａが入れられ、斜谷折線９ａは、段ボールの裏面側から厚さ方向の途中まで切り込んだ半切線とされている。
【００１８】
このようなブランクは、対角位置となる端壁１と側壁２の境界に沿って折り重ね、継代片３を反対側の端壁１の端部内面に貼り付け、底板１２を斜谷折線１２ａに沿って折り返した状態で、その折返部を底板１１に貼り付けて、偏平な折畳状態としておく。
【００１９】
そして、物品の包装に際しては、図２に示すように、各一対の端壁１及び側壁２から四角筒状の周壁を形成し、底板１２の折り曲げを復元すると共に、各一対の底板１１，１２を水平方向へ起こし、底板１２同士を噛み合わせることにより底壁を形成した状態で、物品を上部開口から収納する。
【００２０】
次に、図３に示すように、一対の内フラップ４及び押止フラップ６を内側へ折り曲げ、これに伴い、連結片７を斜谷折線７ａを軸として内フラップ４と押止フラップ６の間に折り込み、押止フラップ６と連結片７とで袋状の差込口１０を形成し、また、外フラップ５を閉止方向へ折り曲げ、連結片９を斜谷折線９ａを軸として内フラップ４と外フラップ５の間に折り込む。
【００２１】
その後、外フラップ５を閉止方向へ引き続き折り曲げると共に、差込片８を山折線８ａを軸として外フラップ５から折り曲げ、連結片７に沿わせつつ、差込口１０に差し込んだ後、折り曲げを復元すると、図４に示すように、封緘が完了する。
【００２２】
上記のような差込封緘箱では、内フラップ４と押止フラップ６とが連結片７を介して繋がっているので、同時に折れ曲がり、これに伴い形成された差込口１０に、外フラップ５の先端から折り曲げた差込片８を差し込むだけで、容易に封緘できる。
【００２３】
このとき、押止フラップ６から突出した連結片７がガイドとなるので、差込片８を差込口１０に容易に差し込むことができる。
【００２４】
そして、差込片８が押止フラップ６で押さえられ、外フラップ５の反発よる浮き上がりが抑制されるので、封緘状態が維持され、粘着テープや接着剤による封緘状態での固定を省略することもできる。
【００２５】
次に、この考案の第２実施形態を図５〜図６に基づいて説明する。
【００２６】
この差込封緘箱は、上記第１実施形態のものと基本構成が共通するが、外フラップ５と押止フラップ６の側壁２からの延出長さが略等しく、端壁１の幅の約１／２とされ、外フラップ５の根元から差込片８の先端までの長さは、端壁１の幅よりも短くなっている。また、内フラップ４と外フラップ５とは、連結片を介して繋がることなく分離しており、これらは独立して開閉するものとされている。
【００２７】
このような差込封緘箱では、封緘状態において、Ａ式と呼ばれる一般的な溝切型段ボール箱と同様の外観を呈し、端壁１の幅が広くても、安定した封緘状態が得られる。
【００２８】
次に、この考案の第３実施形態を図７〜図１０に基づいて説明する。
【００２９】
この差込封緘箱は、トレイ形式のものであり、図７に示すような段ボールのブランクから形成される。このブランクでは、底面全体を構成する長方形の底壁１３の一対の長辺に側壁２が、他対の短辺に底端片１４がそれぞれ連設され、側壁２の両端には端板１５が連設されている。
【００３０】
一方の側壁２の上端となる端辺には外フラップ５が、他方の側壁２の上端となる端辺には押止フラップ６がそれぞれ連設され、外フラップ５の側壁２からの延出長さは、押止フラップ６の側壁２からの延出長さよりも大きくなっている。
【００３１】
内フラップ４と押止フラップ６とは、三角形の連結片７を挟んで繋がったものとされ、押止フラップ６と連結片７の境界は、側壁２と端板１５の境界の延長線上に延びている。内フラップ４と連結片７の境界には、側壁２と端板１５のなす角から延びる４５°の斜谷折線７ａが入れられ、斜谷折線７ａは、段ボールの裏面側から厚さ方向の途中まで切り込んだ半切線とされている。
【００３２】
外フラップ５の先端には差込片８が連設され、外フラップ５と差込片８の境界には、山折線８ａが入れられている。山折線８ａは、稜線となる罫線と同様、段ボールの裏面側から押圧した通常の罫線とされている。
【００３３】
外フラップ５の両側端と端板１５とは、方形状の連結片１６を挟んで繋がったものとされ、連結片１６には、側壁２と端板１５のなす角から延びる４５°の斜谷折線１６ａが入れられている。斜谷折線１６ａは、段ボールの裏面側から厚さ方向の途中まで切り込んだ半切線とされている。
【００３４】
このようなブランクを組み立てて物品を包装するには、図８に示すように、底壁１３から一対の側壁２を起立させ、対向する側壁２から延びる端板１５を内側へ折り曲げ、その先端部同士を貼り合わせ、内フラップ４と連結片１６の端縁部同士を重ね合わせて、底壁１３から起こした底端片１４を端板１５の外面下部に貼り合わせる。これにより、継ぎ合わされた端板１５及び底端片１４から端壁１が形成され、各一対の端壁１及び側壁２から四角筒状の周壁が形成される。
【００３５】
この状態で、物品を上部開口から収納し、図９に示すように、一対の内フラップ４及び押止フラップ６を内側へ折り曲げ、これに伴い、連結片７を斜谷折線７ａを軸として内フラップ４と押止フラップ６の間に折り込み、押止フラップ６と連結片７とで袋状の差込口１０を形成する。これと同時に、外フラップ５を閉止方向へ折り曲げ、連結片１６を斜谷折線１６ａを軸として二つ折りしつつ、外フラップ５の裏側へ折り込む。
【００３６】
その後、外フラップ５を閉止方向へ引き続き折り曲げると共に、差込片８を山折線８ａを軸として外フラップ５から折り曲げ、差込口１０に差し込んだ後、折り曲げを復元すると、図１０に示すように、封緘が完了する。
【００３７】
上記のような差込封緘箱でも、内フラップ４と押止フラップ６とが連結片７を介して繋がっているので、同時に折れ曲がり、これに伴い形成された差込口１０に、外フラップ５の先端から折り曲げた差込片８を差し込むだけで、容易に封緘できる。
【００３８】
そして、差込片８が押止フラップ６で押さえられ、外フラップ５の反発よる浮き上がりが抑制されるので、封緘状態が維持され、粘着テープや接着剤による封緘状態での固定を省略することもできる。
【００３９】
次に、この考案の第４実施形態を図１１及び図１２に基づいて説明する。
【００４０】
この差込封緘箱は、周壁に面取部を有する平面視八角形で、天面と底面が同一構成となった浅型のものであり、図１１に示すような段ボールのブランクから形成される。このブランクでは、中央部に位置する端壁１の両側に側壁２及び端板１７が順次配置され、側壁２と端壁１及び端板１７との間には面取部１８が介在して、これらが帯状をなすように横一列に連なっている。
【００４１】
端壁１の上端及び下端には内フラップ４が連設され、一方の側壁２の上端及び下端には外フラップ５が連設され、他方の側壁２の上端及び下端には押止フラップ６が連設されている。外フラップ５と押止フラップ６の側壁２からの延出長さは、組立状態における幅面寸法の約１／２とされ、内フラップ４の端壁１からの延出長さは、これよりも少し短くなっている。
【００４２】
内フラップ４には、押止フラップ６側に連結片７が、外フラップ５側に連結片９がそれぞれ４５°の斜谷折線７ａ，９ａを介して連設され、連結片７，９と押止フラップ６又は外フラップ５とは、繋部１９を挟んで先端寄りで連結されている。
【００４３】
連結片７，９と繋部１９の境界は、端壁１と面取部１８の境界の延長線上又は端板１７と面取部１８の境界の延長線上に延び、斜谷折線７ａ，９ａは、組立状態において端壁１と側壁２のなす仮想角へ至るものとなっている。斜谷折線７ａ，９ａは、段ボールの裏面側から厚さ方向の途中まで切り込んだ半切線とされている。
【００４４】
繋部１９の幅は、面取部１８の幅よりも小さく、繋部１９の両側の罫線は、ミシン目状に断続する切目を入れたリード罫とされている。連結片７の端壁１又は端板１７からの延出長さは、押止フラップ６の側壁２からの延出長さよりも大きくなっており、繋部１９の先端縁は斜辺となっている。外フラップ５及び押止フラップ６の両側は、繋部１９の連設部分が凹んだ形状となっている。
【００４５】
外フラップ５の先端には差込片８が連設され、外フラップ５と差込片８の境界には、山折線８ａが入れられている。山折線８ａは、稜線となる罫線と同様、段ボールの裏面側から押圧した通常の罫線とされている。
【００４６】
このようなブランクは、一方の端板１７と面取部１８の境界及びこれと対角関係となる端壁１と面取部１８の境界の位置で折り重ね、端板１７の先端部同士及びこれに連なる内フラップ４の側縁部同士を貼り合わせ、継ぎ合わされた端板１７により端壁１を形成し、偏平な折畳状態としておく。
【００４７】
そして、物品の包装に際しては、図１２に示すように、各一対の端壁１及び側壁２並びに四隅の面取部１８から八角筒状の周壁を形成し、底面を閉じた後、物品を上部開口から収納し、天面を閉じる。
【００４８】
底面及び天面を閉じるには、内フラップ４及び押止フラップ６を内側へ折り曲げ、これに伴い、繋部１９を内側へ折り曲げると共に、連結片７を斜谷折線７ａを軸として内フラップ４と押止フラップ６の間に折り込み、押止フラップ６と連結片７とで袋状の差込口１０を形成し、また、外フラップ５を閉止方向へ折り曲げ、これに伴い、繋部１９を内側へ折り曲げると共に、連結片９を斜谷折線９ａを軸として内フラップ４と外フラップ５の間に折り込む。
【００４９】
その後、外フラップ５を閉止方向へ引き続き折り曲げると共に、差込片８を山折線８ａを軸として外フラップ５から折り曲げ、連結片７に沿わせつつ、差込口１０に差し込んだ後、折り曲げを復元することにより、底壁及び天壁を形成し、封緘状態とする。
【００５０】
上記のような差込封緘箱でもまた、内フラップ４と押止フラップ６とが連結片７及び繋部１９を介して繋がっているので、同時に折れ曲がり、これに伴い形成された差込口１０に、連結片７をガイドとしつつ、外フラップ５の先端から折り曲げた差込片８を差し込むだけで、容易に封緘できる。
【００５１】
そして、差込片８が押止フラップ６で押さえられ、外フラップ５の反発よる浮き上がりが抑制されるので、封緘状態が維持され、粘着テープや接着剤による封緘状態での固定を省略することもできる。
【００５２】
なお、この第４実施形態に係る差込封緘箱では、外フラップ５と押止フラップ６の両側が繋部１９の連設部分で凹んでいるので、外フラップ５と押止フラップ６の突合部から端壁１へかけて封緘状態での固定のため粘着テープを貼り付けた場合でも、開封に際し、その凹所に沿ってカッターナイフで粘着テープを切断することにより、外フラップ５と押止フラップ６の固定を容易に解除して、物品を取り出すことができる。
【符号の説明】
【００５３】
１  端壁
２  側壁
３  継代片
４  内フラップ
５  外フラップ
６  押止フラップ
７  連結片
７ａ  斜谷折線
８  差込片
８ａ  山折線
９  連結片
９ａ  斜谷折線
１０  差込口
１１，１２  底板
１２ａ  斜谷折線
１３  底壁
１４  底端片
１５  端板
１６  連結片
１６ａ  斜谷折線
１７  端板
１８  面取部
１９  繋部
【図１】
0003198545.tif 000003
【図２】
0003198545.tif 000004
【図３】
0003198545.tif 000005
【図４】
0003198545.tif 000006
【図５】
0003198545.tif 000007
【図６】
0003198545.tif 000008
【図７】
0003198545.tif 000009
【図８】
0003198545.tif 000010
【図９】
0003198545.tif 000011
【図１０】
0003198545.tif 000012
【図１１】
0003198545.tif 000013
【図１２】
0003198545.tif 000014
【図１３】
0003198545.tif 000015